(57)【要約】【課題】  比較的簡単な調整で一定の吐出能力を持つように調整できるダイヤフラムポンプを提供する。【解決手段】  ダイヤフラム８を装着する円形状の開口部を有する中枠３が台枠１８上に配置され、中枠３の外側面に取り付けられた電動モータ１の回転軸２に固着された偏心カム２０が中枠３の空洞部３ａ内に配置されると共に前記開口部に配置されたダイヤフラム８のロッド１９に偏心カム２０が連結され、中枠３の上部に吸入部屋７、吐出部屋１０、緩衝部屋１３を備えた流体供給室４が配置され、流体供給室４は外壁１２とカバー２２によって密室構造に形成され、吸入部屋７は中枠３の空洞部３ａと吸入口５により連通され、吸入部屋７と吐出部屋１０は吸入弁６を有する吸入孔６ａと排出弁９を有する排出孔９ａによって連通され、吐出部屋１０に隣接して吐出口１４を備えた緩衝部屋１３が配置され、緩衝部屋１３の外壁１２に外部と連通する圧力調整手段を設ける構成とした。【選択図】  図１
2007009837.tif 000002
【特許請求の範囲】
【請求項１】
電動モータが内蔵され、前記電動モータの回転軸に固着された偏心カムによりダイヤフラムが往復動作されて吸入弁と排出弁が作動し、連続的に流体を送り込むように構成されたダイヤフラムポンプにおいて、
前記排出弁から排出された流体を吐出する外部機関に連通している緩衝部屋の外壁に外気と連通する圧力調節部材を配置し、この圧力調節部材によって流体の吐出圧力を一定に制御することを特徴とするダイヤフラムポンプ。
【請求項２】
電動モータが内蔵され、前記電動モータの回転軸に固着された偏心カムによりダイヤフラムが往復動作されて吸入弁と排出弁が作動し、連続的に流体を送り込むように構成されたダイヤフラムポンプにおいて、
ダイヤフラムを装着する円形状の開口部を有する中枠が台枠上に配置され、前記中枠の外側面に取り付けられた前記電動モータの回転軸に固着された偏心カムが前記中枠の空洞部内に配置されると共に前記開口部に配置されたダイヤフラムのロッドに偏心カムが連結され、
前記中枠の上部に吸入部屋、吐出部屋、緩衝部屋を備えた流体供給室が配置され、前記流体供給室は外壁とカバーによって密室構造に形成され、
前記吸入部屋は中枠の空洞部と吸入部屋の吸入口により連通され、前記吸入部屋と吐出部屋は吸入弁を有する吸入孔と排出弁を有する排出孔によって連通され、前記吐出部屋に隣接して吐出口を備えた緩衝部屋が配置され、
前記緩衝部屋の外壁に外部と連通する圧力調整手段を設けたことを特徴とするダイヤフラムポンプ。
【請求項３】
電動モータが内蔵され、前記電動モータの回転軸に固着された偏心カムによりダイヤフラムが往復動作されて吸入弁と排出弁が作動し、連続的に流体を送り込むように構成されたダイヤフラムポンプにおいて、
ダイヤフラムを装着する円形状の開口部を有する中枠が台枠上に配置され、前記中枠の外側面に取り付けられた前記電動モータの回転軸に固着された偏心カムが前記中枠の空洞部内に配置されると共に前記開口部に配置されたダイヤフラムのロッドに偏心カムが連結され、前記中枠の上部に吸入部屋、吐出部屋、緩衝部屋を備えた流体供給室が配置され、前記流体供給室は外壁とカバーによって密室構造に形成され、前記吸入部屋は中枠の空洞部と吸入部屋の吸入口により連通され、前記吸入部屋と吐出部屋は吸入弁を有する吸入孔と排出弁を有する排出孔によって連通され、前記吐出部屋に隣接して吐出口を備えた緩衝部屋が配置され、前記緩衝部屋の外壁に外部と連通する圧力調整手段が設けられ、前記圧力調整手段は前記外壁に着脱可能に取り付られたオリフィスであることを特徴とするダイヤフラムポンプ。
【請求項４】
電動モータが内蔵され、前記電動モータの回転軸に固着された偏心カムによりダイヤフラムが往復動作されて吸入弁と排出弁が作動し、連続的に流体を送り込むように構成されたダイヤフラムポンプにおいて、
ダイヤフラムを装着する円形状の開口部を有する中枠が台枠上に配置され、前記中枠の外側面に取り付けられた前記電動モータの回転軸に固着された偏心カムが前記中枠の空洞部内に配置されると共に前記開口部に配置されたダイヤフラムのロッドに偏心カムが連結され、前記中枠の上部に吸入部屋、吐出部屋、緩衝部屋を備えた流体供給室が配置され、前記流体供給室は外壁とカバーによって密室構造に形成され、
前記吸入部屋は中枠の空洞部と吸入部屋の吸入口により連通され、前記吸入部屋と吐出部屋は吸入弁を有する吸入孔と排出弁を有する排出孔によって連通され、前記吐出部屋に隣接して吐出口を備えた緩衝部屋が配置され、
前記緩衝部屋の外壁に外部と連通する圧力調整手段が設けられ、この圧力調整手段は、外部との連通孔の孔径を任意に調整できる圧力調整弁であることを特徴とするダイヤフラムポンプ。
【請求項５】
電動モータが内蔵され、前記電動モータの回転軸に固着された偏心カムによりダイヤフラムが往復動作されて吸入弁と排出弁が作動し、連続的に気体、液体または気液混合の流体を送り込むように構成されたダイヤフラムポンプにおいて、
ダイヤフラムを装着する円形状の開口部を有する中枠が台枠上に配置され、前記中枠の外側面に取り付けられた前記電動モータの回転軸に固着された偏心カムが前記中枠の空洞部内に配置されると共に前記開口部に配置されたダイヤフラムのロッドに偏心カムが連結され、
前記中枠の上部に吸入部屋、吐出部屋、緩衝部屋を備えた流体供給室が配置され、前記流体供給室は外壁とカバーによって密室構造に形成され、
前記吸入部屋は中枠の空洞部と吸入部屋の吸入口により連通され、前記吸入部屋と吐出部屋は吸入弁を有する吸入孔と排出弁を有する排出孔によって連通され、前記吐出部屋に隣接して吐出口を備えた緩衝部屋が配置され、
前記緩衝部屋から外部を経由して前記吸入部屋に連通する外部循環路が設けられ、圧力調整手段として外部循環路の途中にオリフィスが着脱可能に設けられていることを特徴とするダイヤフラムポンプ。
【請求項６】
電動モータが内蔵され、前記電動モータの回転軸に固着された偏心カムによりダイヤフラムが往復動作されて吸入弁と排出弁が作動し、連続的に気体、液体または気液混合の流体を送り込むように構成されたダイヤフラムポンプにおいて、
ダイヤフラムを装着する円形状の開口部を有する中枠が台枠上に配置され、前記中枠の外側面に取り付けられた前記電動モータの回転軸に固着された偏心カムが前記中枠の空洞部内に配置されると共に前記開口部に配置されたダイヤフラムのロッドに偏心カムが連結され、
前記中枠の上部に吸入部屋、吐出部屋、緩衝部屋を備えた流体供給室が配置され、前記流体供給室は外壁とカバーによって密室構造に形成され、
前記吸入部屋は中枠の空洞部と吸入部屋の吸入口により連通され、前記吸入部屋と吐出部屋は吸入弁を有する吸入孔と排出弁を有する排出孔によって連通され、前記吐出部屋に隣接して吐出口を備えた緩衝部屋が配置され、
前記緩衝部屋から外部を経由して前記吸入部屋に連通する外部循環路が設けられ、圧力調整手段として外部循環路の途中に流量を任意に調整できる圧力調整弁が設けられていることを特徴とするダイヤフラムポンプ。
【請求項７】
電動モータが内蔵され、前記電動モータの回転軸に固着された偏心カムによりダイヤフラムが往復動作されて吸入弁と排出弁が作動し、連続的に気体、液体または気液混合の流体を送り込むように構成されたダイヤフラムポンプにおいて、
ダイヤフラムを装着する円形状の開口部を有する中枠が台枠上に配置され、前記中枠の外側面に取り付けられた前記電動モータの回転軸に固着された偏心カムが前記中枠の空洞部内に配置されると共に前記開口部に配置されたダイヤフラムのロッドに偏心カムが連結され、
前記中枠の上部に吸入部屋、吐出部屋、緩衝部屋を備えた流体供給室が配置され、前記流体供給室は外壁とカバーによって密室構造に形成され、
前記吸入部屋は中枠の空洞部と吸入部屋の吸入口により連通され、前記吸入部屋と吐出部屋は吸入弁を有する吸入孔と排出弁を有する排出孔によって連通され、前記吐出部屋に隣接して吐出口を備えた緩衝部屋が配置され、
前記吐出部屋から内部を経由して前記吸入部屋に連通する内部循環路が設けられ、圧力調整手段として内部循環路の途中にオリフィスが着脱可能に設けられていることを特徴とするダイヤフラムポンプ。
【請求項８】
電動モータが内蔵され、前記電動モータの回転軸に固着された偏心カムによりダイヤフラムが往復動作されて吸入弁と排出弁が作動し、連続的に気体、液体または気液混合の流体を送り込むように構成されたダイヤフラムポンプにおいて、
ダイヤフラムを装着する円形状の開口部を有する中枠が台枠上に配置され、前記中枠の外側面に取り付けられた前記電動モータの回転軸に固着された偏心カムが前記中枠の空洞部内に配置されると共に前記開口部に配置されたダイヤフラムのロッドに偏心カムが連結され、
前記中枠の上部に吸入部屋、吐出部屋、緩衝部屋を備えた流体供給室が配置され、前記流体供給室は外壁とカバーによって密室構造に形成され、
前記吸入部屋は中枠の空洞部と吸入部屋の吸入口により連通され、前記吸入部屋と吐出部屋は吸入弁を有する吸入孔と排出弁を有する排出孔によって連通され、前記吐出部屋に隣接して吐出口を備えた緩衝部屋が配置され、
前記吐出部屋から内部を経由して前記吸入部屋に連通する内部循環路が設けられ、圧力調整手段として内部循環路の途中に流量を任意に調整できる圧力調整弁が設けられていることを特徴とするダイヤフラムポンプ。
【発明の詳細な説明】
【技術分野】
【０００１】
本発明は、小型のダイヤフラムポンプに係り、特に、製品ごとの気体、液体及び気液混合体の流体の吐出圧力が調整可能なダイヤフラムポンプに関する。
【背景技術】
【０００２】
従来、医療機器等に使用される小型のダイヤフラムポンプとして、ダイヤフラムを使用したマイクロエアポンプ等が知られている。このエアマイクロポンプは電動モータを使用して円板状のダイヤフラムを往復動させて、吸入弁・排出弁を作動させるもので、この種のダイヤフラムポンプとして、特開２００２−３３２９７０号公報に示すエアマイクロポンプがあった。
【特許文献１】特開２００２−３３２９７０号公報第１頁
【発明の開示】
【発明が解決しようとする課題】
【０００３】
しかしながら、上述した特許文献１のエアマイクロポンプにあっては、構成部品であるダイヤフラムや吸入弁・排出弁等は材料がゴムである場合が多く、そのため金属材料に比べて寸法精度はあまり高くない、また、その材料の硬度等の物理特性にもバラツキがあるため、ポンプとしての性能も部品のロット間でのバラツキの影響を受けるので、吐出能力等にバラツキを発生することがあった。そのため、ポンプとして組立後に、吐出能力等の性能が一定になるように調整を行っていたが、熟練の技術を必要とし、それぞれのポンプにより、性能に関係する複数の箇所を調整しなければならず、簡単にできることではなかった。
【０００４】
本発明は、上述した従来の問題に鑑みなされたもので、比較的簡単な調整で一定の吐出能力を持つように調整できるダイヤフラムポンプを提供するものである。
【課題を解決するための手段】
【０００５】
本発明は、上記課題を解決するため、電動モータが内蔵され、前記電動モータの回転軸に固着された偏心カムによりダイヤフラムが往復動作されて吸入弁と排出弁が作動し、連続的に流体を送り込むように構成されたダイヤフラムポンプにおいて、前記排出弁から排出された流体を吐出する外部機関に連通している緩衝部屋の外壁に外気と連通する圧力調節部材を配置し、この圧力調節部材によって流体の吐出圧力を一定に制御することを特徴とするダイヤフラムポンプ。
【０００６】
また、本発明は、ダイヤフラムを装着する円形状の開口部を有する中枠が台枠上に配置され、前記中枠の外側面に取り付けられた前記電動モータの回転軸に固着された偏心カムが前記中枠の空洞部内に配置されると共に前記開口部に配置されたダイヤフラムのロッドに偏心カムが連結され、前記中枠の上部に吸入部屋、吐出部屋、緩衝部屋を備えた流体供給室が配置され、前記流体供給室は外壁とカバーによって密室構造に形成され、前記吸入部屋は中枠の空洞部と吸入部屋と吸入口により連通され、前記吸入部屋と吐出部屋は吸入弁を有する吸入孔と排出弁を有する排出孔によって連通され、前記吐出部屋に隣接して吐出口を備えた緩衝部屋が配置され、前記緩衝部屋の外壁に外部と連通する圧力調整手段を設けたことを特徴とするものである。
【０００７】
また、本発明は、ダイヤフラムを装着する円形状の開口部を有する中枠が台枠上に配置され、前記中枠の外側面に取り付けられた前記電動モータの回転軸に固着された偏心カムが前記中枠の空洞部内に配置されると共に前記開口部に配置されたダイヤフラムのロッドに偏心カムが連結され、前記中枠の上部に吸入部屋、吐出部屋、緩衝部屋を備えた流体供給室が配置され、前記流体供給室は外壁とカバーによって密室構造に形成され、前記吸入部屋は中枠の空洞部と吸入部屋と吸入口により連通され、前記吸入部屋と吐出部屋は吸入弁を有する吸入孔と排出弁を有する排出孔によって連通され、前記吐出部屋に隣接して吐出口を備えた緩衝部屋が配置され、前記緩衝部屋の外壁に外部と連通する圧力調整手段が設けられ、前記圧力調整手段は前記外壁に着脱可能に取り付けられたオリフィスであることを特徴としている。
【０００８】
また、本発明は、ダイヤフラムを装着する円形状の開口部を有する中枠が台枠上に配置され、前記中枠の外側面に取り付けられた前記電動モータの回転軸に固着された偏心カムが前記中枠の空洞部内に配置されると共に前記開口部に配置されたダイヤフラムのロッドに偏心カムが連結され、前記中枠の上部に吸入部屋、吐出部屋、緩衝部屋を備えた流体供給室が配置され、前記流体供給室は外壁とカバーによって密室構造に形成され、前記吸入部屋は中枠の空洞部と吸入部屋と吸入口により連通され、前記吸入部屋と吐出部屋は吸入弁を有する吸入孔と排出弁を有する排出孔によって連通され、前記吐出部屋に隣接して吐出口を備えた緩衝部屋が配置され、前記緩衝部屋の外壁に外部と連通する圧力調整手段が設けられ、この圧力調整手段は、外部との連通孔の孔径を任意に調整できる圧力調整弁であることを特徴としている。
【０００９】
また、本発明は、ダイヤフラムを装着する円形状の開口部を有する中枠が台枠上に配置され、前記中枠の外側面に取り付けられた前記電動モータの回転軸に固着された偏心カムが前記中枠の空洞部内に配置されると共に前記開口部に配置されたダイヤフラムのロッドに偏心カムが連結され、前記中枠の上部に吸入部屋、吐出部屋、緩衝部屋を備えた流体供給室が配置され、前記流体供給室は外壁とカバーによって密室構造に形成され、前記吸入部屋は中枠の空洞部と吸入部屋と吸入口により連通され、前記吸入部屋と吐出部屋は吸入弁を有する吸入孔と排出弁を有する排出孔によって連通され、前記吐出部屋に隣接して吐出口を備えた緩衝部屋が配置され、前記緩衝部屋から外部を経由して前記吸入部屋に連通する外部循環路が設けられ、圧力調整手段として外部循環路の途中にオリフィスが着脱可能に設けられていることを特徴としている。
【００１０】
また、本発明は、ダイヤフラムを装着する円形状の開口部を有する中枠が台枠上に配置され、前記中枠の外側面に取り付けられた前記電動モータの回転軸に固着された偏心カムが前記中枠の空洞部内に配置されると共に前記開口部に配置されたダイヤフラムのロッドに偏心カムが連結され、前記中枠の上部に吸入部屋、吐出部屋、緩衝部屋を備えた流体供給室が配置され、前記流体供給室は外壁とカバーによって密室構造に形成され、前記吸入部屋は中枠の空洞部と吸入部屋と吸入口により連通され、前記吸入部屋と吐出部屋は吸入弁を有する吸入孔と排出弁を有する排出孔によって連通され、前記吐出部屋に隣接して吐出口を備えた緩衝部屋が配置され、前記緩衝部屋から外部を経由して前記吸入部屋に連通する外部循環路が設けられ、圧力調整手段として前記外部循環路の途中に流量を任意に調整できる調整弁が設けられていることを特徴としている。
【００１１】
また、本発明は、ダイヤフラムを装着する円形状の開口部を有する中枠が台枠上に配置され、前記中枠の外側面に取り付けられた前記電動モータの回転軸に固着された偏心カムが前記中枠の空洞部内に配置されると共に前記開口部に配置されたダイヤフラムのロッドに偏心カムが連結され、前記中枠の上部に吸入部屋、吐出部屋、緩衝部屋を備えた流体供給室が配置され、前記流体供給室は外壁とカバーによって密室構造に形成され、前記吸入部屋は中枠の空洞部と吸入部屋と吸入口により連通され、前記吸入部屋と吐出部屋は吸入弁を有する吸入孔と排出弁を有する排出孔によって連通され、前記吐出部屋に隣接して吐出口を備えた緩衝部屋が配置され、前記吐出部屋から内部を経由して前記吸入部屋に連通する内部循環路が設けられ、圧力調整手段として前記内部循環路の途中にオリフィスが着脱可能に設けられていることを特徴としている。
【００１２】
さらに、本発明は、ダイヤフラムを装着する円形状の開口部を有する中枠が台枠上に配置され、前記中枠の外側面に取り付けられた前記電動モータの回転軸に固着された偏心カムが前記中枠の空洞部内に配置されると共に前記開口部に配置されたダイヤフラムのロッドに偏心カムが連結され、前記中枠の上部に吸入部屋、吐出部屋、緩衝部屋を備えた流体供給室が配置され、前記流体供給室は外壁とカバーによって密室構造に形成され、前記吸入部屋は中枠の空洞部と吸入部屋と吸入口により連通され、前記吸入部屋と吐出部屋は吸入弁を有する吸入孔と排出弁を有する排出孔によって連通され、前記吐出部屋に隣接して吐出口を備えた緩衝部屋が配置され、前記吐出部屋から内部を経由して前記吸入部屋に連通する内部循環路が設けられ、圧力調整手段として前記内部循環路の途中に流量を任意に調整できる調整弁が設けられていることを特徴とするものである。
【発明の効果】
【００１３】
本発明は上述のように構成されたことにより、構成部品であるダイヤフラムや吸入弁、或いは排出弁の材料に寸法精度や硬度などの物理特性のバラツキがあり、ポンプ能力に差が生じても、圧力調整手段により、外部に吐出される流体の圧力を一定に調整できるものである。
【００１４】
また、本発明は、圧力調整手段をオリフィスとしたことにより、オリフィスの径により圧力の調整が簡単にできるようになり、圧力調整手段を調整弁としたことにより、圧力の調整が自在に行うことができる。
【００１５】
さらに、本発明は、外部循環路や内部循環路を設けて吐出側からリークさせた流体を吸気側へ戻すので、流量を低下させずに圧力の調整を行うことができる。
【発明を実施するための最良の形態】
【００１６】
本発明に係るダイヤフラムポンプの最良の形態について図面を参照して説明する。
図１は本発明に係るダイヤフラムポンプの実施の形態を示す外筐を取り外した状態を示す斜視図、図２は図１のダイヤフラムポンプの流体供給室を取り外した状態を示す斜視図、図３は図２のダイヤフラムポンプの中枠を除去した状態を示す説明用の正面図と側面図、図４は本発明のダイヤフラムポンプの全体を示す斜視図である。
【００１７】
本発明に係るダイヤフラムポンプＡは、図１乃至図５に示すように、電動モータ１が内蔵され、この電動モータ１の回転軸２に固着した偏心カム２０によりダイヤフラム８が往復動作し、吸入弁６と排出弁９が作動することにより連続的に流体を送り込むダイヤフラムポンプであり、電動モータ１は中枠３に並列して横位置に配置されており、中枠３の底部から吸気し、中枠３の上部に設けられた流体供給室４に吐出口１４が設けられている。
【００１８】
この電動モータ１に隣接して固定された中枠３には空洞部３ａが形成されており、この空洞部３ａ内に電動モータ１の回転軸２が延設され、この回転軸２に偏心カム２０が固着されている。そして、この偏心カム２０にロッド１９が嵌装され、このロッド１９にダイヤフラム８が一体に取り付けられるものである。
【００１９】
このダイヤフラム８は、流体供給室４に設けられた図示しないダイヤフラム室に密接されてある。この流体供給室４は、中枠３の空洞部３ａに連通する吸入口５、吸入孔６ａを備え吸入弁６を有する吸入部屋７、この吸入部屋７より大きく形成した吐出部屋１０および吐出口１４を配置してある緩衝室１３とから構成されている。吐出部屋１０はダイヤフラム室から排出弁９による排出孔９ａの開閉により、吸入部屋７の空気が供給される。
【００２０】
また、緩衝室１３を囲む外壁１２には、この緩衝室１３内の空気の一部を外部に逃がし、緩衝室１３内の空気の圧力を調整するための圧力調整手段としてオリフィス１１が設けられている。このオリフィス１１は、構成部品であるダイヤフラム８や吸入弁６、排出弁９等は材料がゴムである場合が多く、その材料の硬度などのバラツキがあるため、ポンプとしての性能も部品のロット間でバラツキが発生することがあるので、ポンプとして組立後に、吐出口１４からの吐出量が一定の性能になるように調整を行なうものである。従って、
このオリフィス１１の径は、このダイヤフラムポンプの性能に合わせて個別に決定するものであり、様々な径のオリフィス１１が準備され、当該のダイヤフラムポンプに適合したものが取り付けられる。          
【００２１】
このオリフィス１１は、外観形状が円形である必要はなく、種々の形状のものが使用できる。例えば、三角形、六角形などのデザインに工夫を凝らしても良い。また、オリフィス１１の径は一定である必要も無く、径が調節可能にしてもよい。
【００２２】
このように構成されたダイヤフラムポンプＡは、図３に示すように、電動モータ１の回転により回転軸２に固着された偏心カム２０が回転して、ダイヤフラム８のロッド１９を往復動させる。このダイヤフラム８の往復動により、吸入弁６および排出弁９が作動して、中枠３の空洞部３ａ内の空気が吸入口５、吸入孔６ａを経由して図示しないダイヤフラム室に入り、このダイヤフラム室から排出孔９ａおよび排出弁９を経由して吐出室１０と緩衝室１３内に一時溜められ、緩衝室１３の吐出口１４から外部に吐出される。この緩衝室１３内に一時溜められた時に、オリフィス１１により流体の一部が外部に放出され、圧力の調整が行われる。
【００２３】
また、図５に示すダイヤフラムポンプＢは、ダイヤフラムポンプＡと同様に、電動モータ１が内蔵され、この電動モータの回転軸に固着された偏心カムによりダイヤフラムが往復動作されて吸入弁６と排出弁９が作動し、連続的に流体を送り込むように構成されたダイヤフラムポンプにおいて、ダイヤフラムを装着する円形状の開口部を有する中枠３が台枠１８上に配置され、この中枠３の外側面に取り付けられた電動モータ１の回転軸に固着された偏心カムが前記中枠の空洞部内に配置されると共に前記開口部に配置されたダイヤフラムのロッドに偏心カムが連結され、この中枠３の上部に吸入部屋７、吐出部屋１０、緩衝部屋１３を備えた流体供給室４が配置され、この流体供給室４は外壁１２とカバーによって密室構造に形成され、この吸入部屋７は中枠３の空洞部と吸入部屋７の吸入口５により連通され、この吸入部屋５と吐出部屋１０は吸入弁６を有する吸入孔と排出弁９を有する排出孔によって連通され、この吐出部屋１０に隣接して吐出口１４を備えた緩衝部屋１３が配置され、この緩衝部屋１３の外壁１２に外部と連通する圧力調整手段を設け、この圧力調整手段は、外部との連通孔の孔径を任意に調整できる圧力調整弁１５としたものである。この圧力調整弁１５は、個々のダイヤフラムポンプＢの能力に応じて簡単に調整できるものである。
【００２４】
また、図６に示すダイヤフラムポンプＣは、ダイヤフラムポンプＡと同様に、電動モータ１が内蔵され、この電動モータの回転軸に固着された偏心カムによりダイヤフラムが往復動作されて吸入弁６と排出弁９が作動し、連続的に流体を送り込むように構成されたダイヤフラムポンプにおいて、ダイヤフラムを装着する円形状の開口部を有する中枠３が台枠１８上に配置され、この中枠３の外側面に取り付けられた電動モータ１の回転軸に固着された偏心カムが前記中枠の空洞部内に配置されると共に前記開口部に配置されたダイヤフラムのロッドに偏心カムが連結され、この中枠３の上部に吸入部屋７、吐出部屋１０、緩衝部屋１３を備えた流体供給室４が配置され、この流体供給室４は外壁１２とカバーによって密室構造に形成され、この吸入部屋５は中枠３の空洞部と吸入部屋７の吸入口により連通され、この吸入部屋７と吐出部屋１０は吸入弁６を有する吸入孔と排出弁９を有する排出孔によって連通され、この吐出部屋１０に隣接して吐出口１４を備えた緩衝部屋１３が配置され、この緩衝部屋１３から外部を経由して吸入部屋７に連通する外部循環路１６が設けられ、この外部循環路１６の途中に圧力調整手段としてオリフィス１１が形成されたものである。
【００２５】
また、図７に示すダイヤフラムポンプＤは、ダイヤフラムポンプＢと同様に、電動モータ１が内蔵され、この電動モータの回転軸に固着された偏心カムによりダイヤフラムが往復動作されて吸入弁６と排出弁９が作動し、連続的に流体を送り込むように構成されたダイヤフラムポンプにおいて、ダイヤフラムを装着する円形状の開口部を有する中枠３が台枠１８上に配置され、この中枠３の外側面に取り付けられた電動モータ１の回転軸に固着された偏心カムが前記中枠の空洞部内に配置されると共に前記開口部に配置されたダイヤフラムのロッドに偏心カムが連結され、この中枠３の上部に吸入部屋７、吐出部屋１０、緩衝部屋１３を備えた流体供給室４が配置され、この流体供給室４は外壁１２とカバーによって密室構造に形成され、この吸入部屋７は中枠３の空洞部と吸入部屋７の吸入口により連通され、この吸入部屋７と吐出部屋１０は吸入弁６を有する吸入孔と排出弁９を有する排出孔によって連通され、この吐出部屋１０に隣接して吐出口１４を備えた緩衝部屋１３が配置され、この緩衝部屋１３から外部を経由して吸入部屋７に連通する外部循環路１６が設けられ、この外部循環路１６の途中に圧力調整手段として圧力調整弁１５が設けられたものである。
【００２６】
また、図８に示すダイヤフラムポンプＥは、ダイヤフラムポンプＡ等と同様に、電動モータ１が内蔵され、この電動モータの回転軸に固着された偏心カムによりダイヤフラムが往復動作されて吸入弁６と排出弁９が作動し、連続的に流体を送り込むように構成されたダイヤフラムポンプにおいて、ダイヤフラムを装着する円形状の開口部を有する中枠３が台枠１８上に配置され、この中枠３の外側面に取り付けられた電動モータ１の回転軸に固着された偏心カムが前記中枠の空洞部内に配置されると共に前記開口部に配置されたダイヤフラムのロッドに偏心カムが連結され、この中枠３の上部に吸入部屋７、吐出部屋１０、緩衝部屋１３を備えた流体供給室４が配置され、この流体供給室４は外壁１２とカバーによって密室構造に形成され、この吸入部屋７は中枠３の空洞部と吸入部屋７の吸入口により連通され、この吸入部屋７と吐出部屋１０は吸入弁６を有する吸入孔と排出弁９を有する排出孔によって連通され、この吐出部屋１０に隣接して吐出口１４を備えた緩衝部屋１３が配置され、この緩衝部屋１３から内部を経由して吸入部屋５に連通する外部循環路１７が設けられ、この内部循環路１７の途中に圧力調整手段としてオリフィス１１が着脱可能に取り付けられたものである。
【００２７】
さらに、図９に示すダイヤフラムポンプＦは、ダイヤフラムポンプＢと同様に、電動モータ１が内蔵され、この電動モータ１の回転軸に固着された偏心カムによりダイヤフラムが往復動作されて吸入弁６と排出弁９が作動し、連続的に流体を送り込むように構成されたダイヤフラムポンプにおいて、ダイヤフラムを装着する円形状の開口部を有する中枠３が台枠１８上に配置され、この中枠３の外側面に取り付けられた電動モータ１の回転軸に固着された偏心カムが前記中枠の空洞部内に配置されると共に前記開口部に配置されたダイヤフラムのロッドに偏心カムが連結され、この中枠３の上部に吸入部屋５、吐出部屋１０、緩衝部屋１３を備えた流体供給室４が配置され、この流体供給室４は外壁１２とカバーによって密室構造に形成され、この吸入部屋７は中枠３の空洞部と吸入部屋７の吸入口により連通され、この吸入部屋７と吐出部屋１０は吸入弁６を有する吸入孔と排出弁９を有する排出孔によって連通され、この吐出部屋１０に隣接して吐出口１４を備えた緩衝部屋１３が配置され、この吐出部屋１０から内部を経由して吸入部屋５に連通する内部循環路１７が設けられ、この内部循環路１７の途中に圧力調整手段として圧力調整弁１５が設けられたものである。
【００２８】
尚、本発明は上述した実施の形態に限定されるものではなく、特許請求の範囲内で様々の態様が可能なことは勿論である。例えば、形状、材料などは適宜選択できることは勿論である。
【図面の簡単な説明】
【００２９】
【図１】本発明に係るダイヤフラムポンプの実施の形態を示す外筐を取り外した状態を示す斜視図である。
【図２】図１のダイヤフラムポンプの流体供給室を取り外した状態を示す斜視図である。
【図３】図２のダイヤフラムポンプの中枠を除去した状態を示す説明用の正面図と側面図である。
【図４】本発明のダイヤフラムポンプの全体を示す斜視図である。
【図５】本発明のダイヤフラムポンプの実施例を示す斜視図である。
【図６】本発明のダイヤフラムポンプの実施例を示す斜視図である。
【図７】本発明のダイヤフラムポンプの実施例を示す斜視図である。
【図８】本発明のダイヤフラムポンプの実施例を示す斜視図である。
【図９】本発明のダイヤフラムポンプの実施例を示す斜視図である。
【符号の説明】
【００３０】
Ａ      ダイヤフラムポンプ
Ｂ      ダイヤフラムポンプ
Ｃ      ダイヤフラムポンプ
Ｄ      ダイヤフラムポンプ
Ｅ      ダイヤフラムポンプ
Ｆ      ダイヤフラムポンプ
１      電動モータ
２      回転軸
３      中枠
３ａ    空洞部
４      流体供給室
５      吸入口
６      吸入弁
６ａ    吸入孔
７      吸入部屋
８      ダイヤフラム
９      排出弁
９ａ    排出孔
１０      吐出部屋
１１      オリフィス
１２      外壁
１３      緩衝室
１４      吐出口
１５      圧力調整弁
１６      外部循環路
１７      内部循環路
１８      台枠
１９      ロッド
２０      偏心カム
２１      カバー
【図１】
2007009837.tif 000003
【図２】
2007009837.tif 000004
【図３】
2007009837.tif 000005
【図４】
2007009837.tif 000006
【図５】
2007009837.tif 000007
【図６】
2007009837.tif 000008
【図７】
2007009837.tif 000009
【図８】
2007009837.tif 000010
【図９】
2007009837.tif 000011